(57)【要約】【課題】  本発明が解決しようとする課題は、雨水の有効利用において、断水とにおいの発生、不衛生となることを防止する点にある。【解決手段】  本発明は雨水を貯える貯水タンクより雨水を水洗トイレ等に給水するようにした中水道システムにおいて、該貯水タンクの一側上部に段高部を設け、該段高部の上面に雨水のタンク内流入口を設けるとともに上水道水が流入するシスタンクを設け、且つ貯水タンクの下部に雨水の段落溜部を形成し、該シスタンクの底部と段落溜部間に上水道水の補給管を配管し、貯水タンク内の雨水が減少して該段落溜部内の所定水位に低下したときにのみ、該補給管の下部ボールタップの開き作動により必要最小限の上水道水がシスタンク内より該段落溜部内に自動補給されて水洗トイレ等に引続き給水するようにしたことを特徴とする雨水利用の家庭用中水道システムにある。【選択図】図１
2005054520.tif 000002
【特許請求の範囲】
【請求項１】
雨水を貯える貯水タンクより雨水を水洗トイレ等に給水するようにした中水道システムにおいて、該貯水タンクの一側上部に段高部を設け、該段高部の上面に雨水のタンク内流入口を設けるとともに上水道水が流入するシスタンクを設け、且つ貯水タンクの下部に雨水の段落溜部を形成し、該シスタンクの底部と段落溜部間に上水道水の補給管を配管し、貯水タンク内の雨水が減少して該段落溜部内の所定水位に低下したときにのみ、該補給管の下部ボールタップの開き作動により必要最小限の上水道水がシスタンク内より該段落溜部内に自動補給されて水洗トイレ等に引続き給水するようにしたことを特徴とする雨水利用の家庭用中水道システム。
【請求項２】
シスタンク内に上水道水を供給する上水道管の管端に上部ボールタップを設けて、上水道管内への逆流を防止する請求項１記載の家庭用中水道システム。
【請求項３】
雨水を貯える貯水タンクは高所に設置して水洗トイレ等への給水に一定の水圧を与えるようにする請求項１または２に記載の家庭用中水道システム。
【発明の詳細な説明】
【技術分野】
【０００１】
この発明は雨水利用の家庭用中水道システムに関するものである。
【背景技術】
【０００２】
この種の雨水等の利用装置としては実開昭３−３６０４９号公報がある。該公報は雨水を導入する貯留槽に浴槽水の廃水枡を区画配置し、両者間に切替弁を設けて貯水槽内の水量が少なくなると廃水枡内の廃水を貯水槽内に切替供給するようにしたことを記載している。
【０００３】
しかしながら、上記公報は切替弁を操作する不便さがあり、また切替する浴槽水はにおいが発生しているので水洗トイレに使用するときは、においが残るという課題がある。しかも浴槽内の湯量は有限のため、全量を使用し終えると断水するという課題がある。
【特許文献１】実開平３−３６０４９号公報
【発明の開示】
【発明が解決しようとする課題】
【０００４】
本発明が解決しようとする課題は、貯水タンク内の雨水が極端に減少したときにのみ必要最小限の上水道水を切替弁操作を必要とせずに自動補給することができるようにして断水による使用不能が生じないこと、および貯水タンク内の雨水の上水道管内への逆流を確実に防止して衛生的にして、しかもにおいが生じないようにした点にある。
【課題を解決するための手段】
【０００５】
本発明は雨水を貯える貯水タンクより雨水を水洗トイレ等に給水するようにした中水道システムにおいて、該貯水タンクの一側上部に段高部を設け、該段高部の上面に雨水のタンク内流入口を設けるとともに上水道水が流入するシスタンクを設け、且つ貯水タンクの下部に雨水の段落溜部を形成し、該シスタンクの底部と段落溜部間に上水道水の補給管を配管し、貯水タンク内の雨水が減少して該段落溜部内の所定水位に低下したときにのみ、該補給管の下部ボールタップの開き作動により必要最小限の上水道水がシスタンク内より該段落溜部内に自動補給されて水洗トイレ等に引続き給水するようにして、かかる課題を解決するようにしたのである。
【発明の効果】
【０００６】
本発明は、雨水を貯水タンク内に満水になるまで貯水して、水洗トイレの洗浄用に給水し、また他用途向けの給水栓より給水し、給水使用等により貯水タンク内の水量が減少して段落溜部内にのみ残って、その水位が一定位置に下がると下部ボールタップの開き作用にてシスタンク内の上水道水が段落溜部内に自動補給されるために、断水することが生ずることなくして常時給水使用することができるという効果を生ずる。給水の大部分は貯水タンク内の雨水を中水道水として水洗トイレ等に給水し続けるが、貯水タンク内の雨水が極端に減少したときにのみ、必要最小限の上水道水をシスタンク内より自動補給するのである。切替弁の操作を要しないので、操作忘れなどによる断水の生ずることはない。しかもシスタンク内に上部ボールタップを設けたことにより、段落溜部内の下部ボールタップが水没しても上水道管内に貯水タンク内の雨水が逆流するということは確実に防止されるという効果を生ずる。
【０００７】
シスタンクを貯水タンクのオーバーフローによる満水水位から離れた段高部３上の上壁上に設けたので、上水道水は段高部内の空気層により隔断されるため衛生面も安全となる。また貯水タンクを高所に設けることにより、給水管１２による給水に一定の水圧を与えることができるという効果を生ずる。
【０００８】
さらに本発明は大部分が雨水を中水道水として給水するものであり、上水道水は必要最小限の使用にとどまるため、経済的であり、においを生ぜずして快適に使用し続け得るという効果を生ずる。
【発明を実施するための最良の形態】
【０００９】
台Ｆにて１.５ｍ以上の地上高に雨水の貯水タンク１を設置する。一側の側壁の上部に満水による溢れ出しを防止するオーバーフロー２を設け、且つ該貯水タンク１のオーバーフロー側の上部に段高部３を設けて、該段高部３の上壁４に雨樋につながる降下筒５に相対する雨水取入口６と、シスタンク７を載着して上部ボールタップ８ａを挟んで上水道管９につなぎ、該シスタンク７の底部と前記の貯水タンク１の一側下部に形成する雨水の段落溜部１０間に上水道水の補給管１１を配管する。８ａは補給管１１の管端を開閉する下部ボールタップである。段落溜部１０の底面より給水管１２を取出し配管して水洗トイレ１３のロータンクに接続する。なお１４は使用量を測定するメーターである。１５は他用途向けの給水栓である。
【００１０】
雨水は雨樋につながる降下筒５下に相対する雨水取入口６より貯水タンク１内に入ってオーバーフロー２より放水されるまで、すなわち満水になるまで貯水されて、水洗トイレ１３のロータンクを操作する都度、給水管１２より中水道水として給水して使用されるが、雨が降らず、または使用量の多さなどによって貯水タンク１内の水量が減少して段落溜部１０内に溜まるのみとなり、その水位がＬ１以下になると、下部ボールタップ８ｂのボールが下降して上水道水の補給管１１の下端が開いてシスタンク７内の上水道水が段落溜部１０内に補給されて水洗トイレ１３のロータンクには断水されずに引続き給水されることとなる。段落溜部１０内の水位が上昇して下部ボールタップ８ｂが浮上すると上水道水の補給は停止する。つまり必要最小限の上水道水が補給されるのである。同様にしてシスタンク７内の水位がＬ３以下に下がると上部ボールタップ８ａの開き作用により上水道管９の下端が開いて上水道水がシスタンク７内に自動供給され、水位の戻りにより上部ボールタップ８ａが浮上すると自動供給は停止されることとなる。なおシスタンク７内に上部ボールタップを設けたことによって、下部ボールタップ８ｂが水没しても上水道管内に逆流することは確実に防止されこととなる。
以上の繰返しにて貯水タンク１内の雨水が極端に少なくなったときにのみに必要最小限の上水道水が自動補給されて水洗トイレ等に給水を続けることとなる。
【００１１】
なお、降下筒５と貯水タンク１の雨水取入口６との間、貯水タンク１とオーバーフロー２の間、段落溜部１０と給水管１２との間などにはフィルター（図示してない）を取付けてゴミが出入しないようにする。本発明は雨水と上水道水のみの使用により、においは全く生ぜず、快適な使用が保証される。
【産業上の利用可能性】
【００１２】
本発明の家庭用中水道システムは貯水タンクを設置する場所さえあればすべての家庭で設置して使用することができる。雨水を中水道水として有効利用することにより経費節減と上水道水を節水するという社会的な貢献をすることができるものとなる。
【図面の簡単な説明】
【００１３】
【図１】本発明の家庭用中水道システムの概要を示す説明図
【符号の説明】
【００１４】
１は貯水タンク
２はオーバーフロー
３は段高部
４は上壁
５は雨樋につながる降下筒
６は雨水取入口
７はシスタンク
８ａは上部ボールタップ
８ｂは下部ボールタップ
９は上水道管
１０は段落溜部
１１は補給管
１２は給水管
１３は水洗トイレ（ロータンク）
１４はメーター
１５は他用途向けの給水栓
【図１】
2005054520.tif 000003